(57)【要約】【課題】携行容易であると共に、発光面を広く形成することのできる携行用ＬＥＤ照明器具を提供すること。【解決手段】携行用ＬＥＤ照明器具１は、水平方向に沿って並んで配された複数の掛止部３が形成された基体２と、基体２の複数の掛止部３に解除自在に夫々掛止される被掛止部４が後面５に形成されていると共に前面６に複数の発光ダイオード７が配列された矩形状の複数の光源プレート８と、基体２を支持するスタンド９とを具備している。【選択図】図１
2013109968.tif 000002
【特許請求の範囲】
【請求項１】
一の方向に沿って並んで配された複数の掛止部が形成された基体と、この基体の複数の掛止部に解除自在に夫々掛止される被掛止部が後面に形成されていると共に前面に複数の発光ダイオードが配列された矩形状の複数の光源プレートとを具備している携行用ＬＥＤ照明器具。
【請求項２】
掛止部は鉤状であり、被掛止部は掛止部が挿入される掛止用孔を具備している請求項１に記載の携行用ＬＥＤ照明器具。
【請求項３】
基体には、水平軸を中心として俯仰自在に且つ鉛直軸を中心として旋回自在にスタンドに装着される装着部が形成されている請求項１又は２に記載の携行用ＬＥＤ照明器具。
【請求項４】
複数の発光ダイオードは、平面状の発光面を夫々有している請求項１から３のいずれか一項に記載の携行用ＬＥＤ照明器具。
【請求項５】
複数の発光ダイオードの発光面の夫々は互いに面一である請求項４に記載の携行用ＬＥＤ照明器具。
【発明の詳細な説明】
【技術分野】
【０００１】
本発明は、テレビスタジオ、写真スタジオ、舞台等や野外に携行されて用いられる携行用ＬＥＤ照明器具に関する。
【背景技術】
【０００２】
例えば、特許文献１においては、光源が発光ダイオード（ＬＥＤ（Ｌｉｇｈｔ  ｅｍｉｔｔｉｎｇ  ｄｉｏｄｅ）からなるＬＥＤ照明器具が提案されている。
【先行技術文献】
【特許文献】
【０００３】
【特許文献１】特開２０１０−９８４８号公報
【発明の概要】
【発明が解決しようとする課題】
【０００４】
ところで、発光面が広く形成されたＬＥＤ照明器具の寸法は大きくなる傾向にあるために、斯かるＬＥＤ照明器具を野外等の様々な場所に移動させることは困難である。
【０００５】
本発明は、前記諸点に鑑みてなされたものであり、その目的とするところは、携行容易であると共に、発光面を広く形成することのできる携行用ＬＥＤ照明器具を提供することにある。
【課題を解決するための手段】
【０００６】
本発明の携行用ＬＥＤ照明器具は、一の方向に沿って並んで配された複数の掛止部が形成された基体と、この基体の複数の掛止部に解除自在に夫々掛止される被掛止部が後面に形成されていると共に前面に複数の発光ダイオードが配列された矩形状の複数の光源プレートとを具備している。
【０００７】
本発明の携行用ＬＥＤ照明器具によれば、特に、一の方向に沿って並んで配された複数の掛止部が形成された基体と、この基体の複数の掛止部に解除自在に夫々掛止される被掛止部が後面に形成されている複数の光源プレートとを具備しているために、例えば一つのケースに収納して携行することを容易にし得ると共に、複数の光源プレートの夫々の被掛止部を基体の複数の掛止部に夫々掛止させることで、複数の光源プレートの協働により発光面を広く形成することができる。
【０００８】
本発明の携行用ＬＥＤ照明器具では、掛止部は鉤状であり、被掛止部は掛止部が挿入される掛止用孔を具備していてもよい。このような携行用ＬＥＤ照明器具によれば、複数の光源プレートと基体との着脱を簡単に行い得る。
【０００９】
本発明の携行用ＬＥＤ照明器具では、基体には、水平軸を中心として俯仰自在に且つ鉛直軸を中心として旋回自在にスタンドに装着される装着部が形成されていてもよい。このような携行用ＬＥＤ照明器具によれば、複数の光源プレートによる投光方向を自在に調整し得る。
【００１０】
本発明の携行用ＬＥＤ照明器具では、複数の光源プレートの夫々の複数の発光ダイオードは、平面状の発光面を夫々有していてもよく、斯かる場合には、これら発光面の夫々は互いに面一であってもよい。
【発明の効果】
【００１１】
本発明によれば、携行容易であると共に、発光面を広く形成することのできる携行用ＬＥＤ照明器具を提供することにある。
【図面の簡単な説明】
【００１２】
【図１】図１は、本発明の実施の形態の例の側面説明図である。
【図２】図２は、図１に示す例の正面説明図である。
【図３】図３は、図１に示す例の背面側の展開斜視説明図である。
【図４】図４は、図１に示す例の光源プレートの展開斜視説明図である。
【図５】図５は、図１に示す例の携行に関する説明図である。
【発明を実施するための形態】
【００１３】
次に本発明を、図に示す好ましい実施の形態の例に基づいて更に詳細に説明する。なお、本発明はこれら例に何等限定されないのである。
【実施例】
【００１４】
図１から図４において、本例の携行用ＬＥＤ照明器具１は、水平方向に沿って並んで配された複数の掛止部３が形成された基体２と、基体２の複数の掛止部３に解除自在に夫々掛止される被掛止部４が後面５に形成されていると共に前面６に複数の発光ダイオード７が配列された矩形状の複数の光源プレート８と、基体２を支持するスタンド９とを具備している。
【００１５】
光源プレート８は、上述の複数の発光ダイオード７が配列された矩形状の光源プレート本体１１と、光源プレート本体１１に隣接した透光性を有する蓄光シート１２と、光源プレート本体１１及び蓄光シート１２を収容する投光口１３を有したハウジング１４とを具備している。
【００１６】
複数の発光ダイオード７は、光源プレート本体１１の前面に縦横に等間隔をもって並んで配されている。複数の発光ダイオード７は、夫々互いに電気的に接続されている。複数の発光ダイオード７は、正面（前面）において露出した平面状の発光面を夫々有しており、これら発光面の夫々は互いに面一である。複数の発光ダイオード７の発光色は、白色、赤色、緑色、青色等であってもよい。複数の発光ダイオード７の夫々は、互いに白色等の同一色を発光するようになっていても、互いに異なる色を発光するようになっていてもよい。
【００１７】
蓄光シート１２は、矩形状であり、複数の発光ダイオード７が配列された光源プレート本体１１の前面に隣接して配される。
【００１８】
ハウジング１４は、前側カバー２１と後側カバー２２とからなり、前側カバー２１は、投光口１３を有している。
【００１９】
前側カバー２１は、矩形状であり、その周縁部２３は後方に向かって突出している。後側カバー２２は、矩形状であり、その周縁部２４は前方に向かって突出している。前側カバー２１及び後側カバー２２は、周縁部２３が周縁部２４を覆うように重ね合わされることによって互いに組み合わされ、光源プレート本体１１及び蓄光シート１２を収容するようになっている。蓄光シート１２は光源プレート本体１１に対して投光口１３側に配されており、前側カバー２１及び光源プレート本体１１に挟まれている。投光口１３は矩形状である。
【００２０】
光源プレート本体１１には、直流電源又は交直変換器を介して交流電源（図示せず）と接続される丸型コネクターを一端に有したケーブル１５の他端が取り付けられている。ケーブル１５には防水処理が施されている。前側カバー２１及び後側カバー２２には、ケーブル１５がゴムガイド１６を介して配設されるＵ字形の溝１７及び１８が夫々形成されている。
【００２１】
後側カバー２２には、掛止部３が挿入される鉛直方向に伸びた平面視矩形状の掛止用孔２７が形成されるように折り曲げられた折曲げ板２８が取り付けられており、被掛止部４は、後側カバー２２と折曲げ板２８とによって形成されている。
【００２２】
基体２は、水平方向に伸びた基体本体３１と、水平方向に沿って並んで基体本体３１の前面３２に設けられた上述の複数の掛止部３と、基体本体３１の後面３３に水平軸を中心としてｒ方向に俯仰自在に且つ鉛直軸を中心としてＲ方向に旋回自在にスタンド９に装着される装着部３４とを具備している。
【００２３】
基体本体３１は、水平方向に伸びた矩形板部４１と、矩形板部４１の上縁が後方に折り曲げられて形成された上側折曲部４２と、矩形板部４１の下縁が後方に折り曲げられて形成された下側折曲部４３とを具備している。矩形板部４１の剛性は、上側折曲部４２及び下側折曲部４３とが形成されていることによって高められている。
【００２４】
掛止部３の夫々は、鉤状であり、その先端４５は上方に向かって伸びている。複数の掛止部３は水平方向において互いに等間隔をもって矩形板部４１に配されている。互いに隣り合う掛止部３の間隔幅は、当該掛止部３の夫々に光源プレート８が掛止された際に隣り合う光源プレート８が互いに当接する程度の幅である。掛止部３は、その先端４５から被掛止部４の掛止用孔２７に嵌入されることによって光源プレート８を掛止するようになっている。
【００２５】
装着部３４は、スタンド９に鉛直軸を中心としてＲ方向に旋回自在に連結された旋回自在部材５１と、旋回自在部材５１に水平方向に伸びる軸５２を介してｒ方向に俯仰自在に連結されたＬ字状の俯仰自在部材５３とを具備しており、俯仰自在部材５３は、取付ねじ５４を介して基体本体３１の矩形板部４１の後面３３に取り付けられている。
【００２６】
スタンド９は、本例では三脚台６１からなる。三脚台６１は、旋回自在部材５１に着脱自在に取り付けられる鉛直方向に伸びた支持基軸６２と、支持基軸６２に開閉自在に連結された三本の脚部材６３とを具備している。支持基軸６２及び脚部材６３は、伸縮自在となるように入れ子式に形成されていてもよい。
【００２７】
斯かる携行用ＬＥＤ照明器具１が携行される際には、複数の光源プレート８、基体２及びスタンド９は夫々互いに分離された状態にされ、例えば図５に示す一つの携行用ケース７１に収容される。このように携行用ＬＥＤ照明器具１は携行容易である。
【００２８】
携行用ＬＥＤ照明器具１は、スタンド９に基体２の装着部３４を装着し、基体２の複数の掛止部３に複数の光源プレート８の被掛止部４を掛止させ、ケーブル１５を直流電源又は交直変換器を介して交流電源（図示せず）に接続することによって設置される。また、斯かる携行用ＬＥＤ照明器具１は、光源プレート８の被掛止部４の掛止部３による掛止を解除し、基体２の装着部３４をスタンド９から取り外すことで、携行用ケース７１に収容可能な状態となる。
【００２９】
本例の携行用ＬＥＤ照明器具１によれば、一の方向に沿って並んで配された複数の掛止部３が形成された基体２と、基体２の複数の掛止部３に解除自在に夫々掛止される被掛止部４が後面５に形成されていると共に前面６に複数の発光ダイオード７が配列された矩形状の複数の光源プレート８とを具備しているために、例えば一つのケース７１に収納して携行することを容易にし得ると共に、複数の光源プレート８の夫々の被掛止部４を基体２の複数の掛止部３に夫々掛止させることで、複数の光源プレート８の協働により発光面を広く形成することができる。
【００３０】
携行用ＬＥＤ照明器具１によれば、掛止部３は鉤状であり、被掛止部４は掛止部３が挿入される掛止用孔２７を具備しているために、複数の光源プレート８と基体２との着脱を簡単に行い得る。
【００３１】
携行用ＬＥＤ照明器具１によれば、基体２には、水平軸を中心としてｒ方向に俯仰自在に且つ鉛直軸を中心としてＲ方向に旋回自在にスタンド９に装着される装着部３４が形成されているために、複数の光源プレート８による投光方向を自在に調整し得る。
【符号の説明】
【００３２】
１  携行用ＬＥＤ照明器具
２  基体
３  掛止部
４  被掛止部
７  発光ダイオード
８  光源プレート
９  スタンド
【図１】
2013109968.tif 000003
【図２】
2013109968.tif 000004
【図３】
2013109968.tif 000005
【図４】
2013109968.tif 000006
【図５】
2013109968.tif 000007